(57)【要約】【課題】遠隔監視コンピュータに設けられている制御プログラムにより制御されるＣＣＴＶシステム、及びこのシステムに用いられるマトリックススイッチャーが開示される。【解決手段】本発明のコンピュータ基盤の遠隔監視ＣＣＴＶシステムは、カメラからの映像信号を処理し、処理された映像信号を監視用コンピュータにある映像入力端子に伝達するコンピュータ映像マトリックススイッチャーと、上記監視用コンピュータに設けられ、前記コンピュータ映像マトリックススイッチャーの操作を制御してカメラデータを生成する制御プログラムとを備える。【選択図】図３
2004520738.tif 000002
【特許請求の範囲】
【請求項１】
コンピュータ遠隔監視制御方式のＣＣＴＶシステムであって、
入力されたカメラ映像信号を処理し、処理された映像信号を監視用コンピュータにある映像入力端子に伝達するコンピュータ映像マトリックススイッチャーと、
前記監視用コンピュータに設けられており、前記コンピュータ映像マトリックススイッチャーが機能を行うように、カメラの駆動及び制御のためのデータを生成する制御プログラムとを備えることを特徴とするＣＣＴＶシステム。
【請求項２】
前記コンピュータ映像マトリックススイッチャーは、
ＣＰＵと、
制御プログラムが設けられているコンピュータとデータの交換を行うことにより、ＣＰＵの動作命令及びカメラ制御データをコンピュータから受信し、その遂行結果をコンピュータへ伝送する通信制御部と、
多数のカメラから同軸ケーブルなどを通じて伝送されたカメラ映像信号を受け入れる映像信号入力部と、
入力されたカメラ映像信号をＣＰＵの制御によって選択する映像入力信号スイッチング部と、
映像入力信号をコンピュータのモニタに表示するためのコンポジット信号に変換し、このコンポジット信号をコンピュータの映像入力端に出力するコンポジット信号出力部とを備えることを特徴とする請求項１に記載のＣＣＴＶシステム。
【請求項３】
前記制御プログラムは、
前記コンピュータ映像マトリックススイッチャーのＣＰＵを制御するための命令とカメラ制御データを発生する制御データ発生部と、
ユーザにカメラの焦点を調節するようにするカメラ焦点調節部と、
カメラ焦点調節部によって制御データ発生部を制御してカメラ焦点制御用データを生成するようにするカメラ焦点制御部と、
カメラズームイン（＋）ボタンとズームアウト（−）ボタンから構成されて、ユーザにカメラズームを選択するようにするカメラズーム選択部と、
カメラズーム選択部により制御データ発生部を制御してカメラズーム制御用データを生成するようにするカメラズーム制御部と、
カメラのパン方向を示すボタンとパン速度を調節するボタンから構成されて、ユーザにカメラパンを選択し、パン速度を調節するようにするカメラパン選択部と、
カメラパン選択部によって制御データ発生部を制御してカメラパン制御及びパン速度調節用データを生成するようにするカメラパン制御部と、
パン開始点設定ボタン、パン返還点設定ボタン、自動パン開始ボタン、自動パン停止ボタンから構成されて、ユーザにカメラの自動パンを設定するようにするカメラ自動パン選択部と、
カメラ自動パン選択部によって制御データ発生部を制御してカメラ自動パン用データを生成するようにするカメラ自動パン制御部と、
自動切換するカメラを登録するか、切換時間などを設定する設定ボタンと自動切換を指示する開始ボタンとから構成されて、ユーザに各カメラの自動切換を設定するようにするカメラ自動切換設定部と、
カメラ自動切換設定部によって制御データ発生部を制御してカメラ自動切換用データを生成するようにするカメラ自動切換制御部と、
前記カメラ焦点調節部、カメラズーム選択部、カメラパン選択部、カメラ自動パン選択部、カメラ自動切換設定部において調節、選択、設定されたデータを記憶する調節／選択／設定データ記憶部と、
現場に設けられた全てのカメラの位置を記憶しているカメラ位置記憶部と、
前記コンピュータ映像マトリックススイッチャーから伝送された映像信号を所定のユーザインターフェースに表示する映像表示部と備えることを特徴とする請求項１または２に記載のＣＣＴＶシステム。
【請求項４】
ＣＣＴＶシステムにおいて、カメラ映像信号を処理し、処理された映像信号を監視用コンピュータにある映像入力端子に伝達し、監視用コンピュータに設けられている制御プログラムによってカメラの駆動及び制御の機能を行うコンピュータ映像マトリックススイッチャーであって、
ＣＰＵと、
制御プログラムが設けられているコンピュータとデータの交換を行うことにより、ＣＰＵの動作命令及びカメラ制御データをコンピュータから受信し、その遂行結果をコンピュータへ伝送する通信制御部と、
多数のカメラから同軸ケーブルなどを通じて伝送されたカメラ映像信号を受け入れる映像信号入力部と、
入力されたカメラ映像信号をＣＰＵの制御によって選択する映像入力信号スイッチング部と、
映像入力信号をコンピュータのモニタに表示するためのコンポジット信号に変換し、このコンポジット信号をコンピュータの映像入力端に出力するコンポジット信号出力部とを備えることを特徴とするコンピュータ映像マトリックススイッチャー。
【請求項５】
請求項４のように構成されるコンピュータ映像マトリックススイッチャーに、カメラを制御し、ユーザにカメラ映像を表示するようにする、監視用コンピュータに設けられる制御プログラムであって、
前記コンピュータ映像マトリックススイッチャーのＣＰＵを制御するための命令とカメラ制御データを発生する制御データ発生部と、
ユーザにカメラの焦点を調節するようにするカメラ焦点調節部と、
カメラ焦点調節部によって制御データ発生部を制御してカメラ焦点制御用データを生成するようにするカメラ焦点制御部と、
ユーザにカメラズームを選択するようにするカメラズーム選択部と、
カメラズーム選択部により制御データ発生部を制御してカメラズーム制御用データを生成するようにするカメラズーム制御部と、
ユーザにカメラパンを選択し、パン速度を調節するようにするカメラパン選択部と、
カメラパン選択部によって制御データ発生部を制御してカメラパン制御及びパン速度調節用データを生成するようにするカメラパン制御部と、
ユーザにカメラの自動パンを設定するようにするカメラ自動パン選択部と、
カメラ自動パン選択部によって制御データ発生部を制御してカメラ自動パン用データを生成するようにするカメラ自動パン制御部と、
ユーザに各カメラの自動切換を設定するようにするカメラ自動切換設定部と、
カメラ自動切換設定部によって制御データ発生部を制御してカメラ自動切換用データを生成するようにするカメラ自動切換制御部と、
前記カメラ焦点調節部、カメラズーム選択部、カメラパン選択部、カメラ自動パン選択部、カメラ自動切換設定部において調節、選択、設定されたデータを記憶する調節／選択／設定データ記憶部と、
現場に設けられた全てのカメラの位置を記憶しているカメラ位置記憶部と、
前記コンピュータ映像マトリックススイッチャーから伝送された映像信号を所定のユーザインターフェースに表示する映像表示部と備えることを特徴とするコンピュータ遠隔監視制御方式のＣＣＴＶシステム用制御プログラム。
【請求項６】
請求項５のように構成される制御プログラムを記録するコンピュータ記録媒体。
【発明の詳細な説明】
【技術分野】
【０００１】
本発明は、パーソナルコンピュータに設けられている制御プログラムによって遠隔監視制御を行うＣＣＴＶ監視システム、このシステムに使用されるコンピュータ映像マトリックススイッチャー及び制御プログラムに関する。
【背景技術】
【０００２】
従来、多数のカメラを遠隔監視するＣＣＴＶシステムにおいては、映像マトリックススイッチャーを用いて各カメラの映像信号を受け入れ、該映像信号を一般的なアナログＣＣＴＶモニタに出力していた。このような従来のシステムにおいては、カメラの制御のため、別途接続される制御板（キーボード）を上記映像マトリックススイッチャーに接続してカメラを制御する。又、カメラからの映像信号は、別途の映像ラインから伝送され、モニタによりモニタリングされる。
【０００３】
図１は、従来の一般的な映像マトリックススイッチャーを用いるＣＣＴＶシステムの概略図を示す。多数のカメラ（ＣＡ−１乃至ＣＡ−ｎ）からの映像信号は、中央に位置するマトリックススイッチャーに入力され、該マトリックススイッチャーは、主管理オフィスのモニタ、各遠隔地のモニタ、及び制御用モニタと接続される。図１において、実線で示される信号ラインは映像信号ラインであり、一点鎖線で示される信号ラインはカメラ制御のためのデータラインである。
【０００４】
しかし、図１に示すように、従来においては、各々の現場に設けられた多数のカメラのＩＤを別途記憶しなければならない。尚、別途設けられたキーボードによって所望のカメラを選択して画面を表示し、カメラを制御したので、ＣＣＴＶの制御機能及び制御装置が複雑になった。更に、各々のカメラに対する画面のデータ処理及び貯蔵が困難であって、後からの検索が困難だという短所がある。
【発明の開示】
【発明が解決しようとする課題】
【０００５】
したがって、上記課題を解決するために、コンピュータに設けられている制御プログラムによって制御され得るコンピュータ映像マトリックススイッチャー、及びこれを用いるＣＣＴＶシステムが開発された。
【０００６】
本発明の目的は、コンピュータに制御プログラムを設け、このプログラムによってカメラを制御して映像を表示し、別途の記憶や記録なしにコンピュータのモニタ上で任意に選択して監視することができるＣＣＴＶシステム、及びこれに用いられるコンピュータ映像マトリックススイッチャーを提供することである。
【課題を解決するための手段】
【０００７】
本発明によると、管理オフィスにおいて、コンピュータ（ＰＣ）のプログラムのみを用いることによって簡単に各カメラの映像の監視及び制御を行うことができる。尚、本発明によると、数箇所に分散される監視地域においてもモニタリング及び制御が容易かつ迅速に行うように、コンピュータを用いてコンピュータモニタ上で動映像ディスプレイ及び各種機能の制御を容易にＧＵＩメニューによって行う。
【０００８】
本発明によるＣＣＴＶシステムは、入力されるカメラ映像信号を処理し、処理された映像信号を監視用コンピュータにある映像入力端子に伝達するコンピュータ映像マトリックススイッチャーと、上記監視用コンピュータに設けられて上記コンピュータ映像マトリックススイッチャーが機能を行うようにし、カメラの駆動及び制御のためのデータを生成する制御プログラムとを備える。
【０００９】
上記システムの主要構成要素のコンピュータ映像マトリックススイッチャーは、ＣＰＵと、制御プログラムが設けられているコンピュータとデータの交換を行うことにより、ＣＰＵの動作命令及びカメラ制御データをコンピュータから受信し、その遂行結果をコンピュータへ伝送する通信制御部と、多数のカメラから同軸ケーブルなどを通じて伝送されたカメラ映像信号を受け入れる映像信号入力部と、入力されたカメラ映像信号をＣＰＵの制御によって選択する映像入力信号スイッチング部と、映像入力信号をコンピュータのモニタに表示するためのコンポジット信号に変換し、このコンポジット信号をコンピュータの映像入力端に出力するコンポジット信号出力部とを備える。
【００１０】
また、上記システムの制御プログラムは、上記コンピュータ映像マトリックススイッチャーのＣＰＵを制御するための命令とカメラ制御データを発生する制御データ発生部と、ユーザにカメラの焦点を調節するようにするカメラ焦点調節部と、カメラ焦点調節部によって制御データ発生部を制御してカメラ焦点制御用データを生成するようにするカメラ焦点制御部と、ユーザにカメラズームを選択するようにするカメラズーム選択部と、カメラズーム選択部により制御データ発生部を制御してカメラズーム制御用データを生成するようにするカメラズーム制御部と、ユーザにカメラパンを選択し、パン速度を調節するようにするカメラパン選択部と、カメラパン選択部によって制御データ発生部を制御してカメラパン制御及びパン速度調節用データを生成するようにするカメラパン制御部と、ユーザにカメラの自動パンを設定するようにするカメラ自動パン選択部と、カメラ自動パン選択部によって制御データ発生部を制御してカメラ自動パン用データを生成するようにするカメラ自動パン制御部と、ユーザに各カメラの自動切換を設定するようにするカメラ自動切換設定部と、カメラ自動切換設定部によって制御データ発生部を制御してカメラ自動切換用データを生成するようにするカメラ自動切換制御部と、上記カメラ焦点調節部、カメラズーム選択部、カメラパン選択部、カメラ自動パン選択部、カメラ自動切換設定部において調節、選択、設定されたデータを記憶する調節／選択／設定データ記憶部と、現場に設けられた全てのカメラの位置を記憶しているカメラ位置記憶部と、上記コンピュータ映像マトリックススイッチャーから伝送された映像信号を所定のユーザインターフェースに表示する映像表示部と備える。
【発明の効果】
【００１１】
本発明によれば、コンピュータによる機能遂行によってカメラの位置とＩＤを記憶せずに地域監視が可能であり、録画再生時、ハードディスクに貯蔵されるファイルを検索することで充分であり、一つのモニタに多数のカメラを自動で切換して多数の画面を見ることができるので、狭い空間に適合し、結果的にコンピュータによる監視システムとして映像表示及び制御運営が非常に容易である（ユーザは、コンピュータのＧＵＩメニューによって全ての制御を行うことができる）。
【００１２】
また、接続された映像の画面を直ちに貯蔵して今後の検索が可能であり、カメラ別、階別などにデータ管理が容易であり、各遠隔地において同時に特定位置の画面を監視することが可能となる。
【発明を実施するための最良の形態】
【００１３】
以下に、本発明におけるシステムの好ましい実施例を詳述する。
【００１４】
システムの構成
図２は、本発明によるコンピュータ映像マトリックススイッチャー（以下、本発明のマトリックススイッチャー）を用いるＣＣＴＶシステムを示す構成図である。多数のＣＣＴＶカメラ（ＣＡ−１乃至ＣＡ−ｎ）から送られる映像信号は、本発明のマトリックススイッチャー１０に入力される。図２における実線は、映像信号ラインであり、一点鎖線は、カメラ制御用データラインである。また、本発明のマトリックススイッチャー１０には、主管理オフィスのＰＣ５０と各遠隔地のＰＣ６０，７０が接続される。
【００１５】
マトリックススイッチャー１０においては、入力されたカメラ映像信号を処理し、これを主管理オフィス及び各遠隔地のＰＣ５０，６０，７０の映像入力端子に転送する。各ＰＣには、本発明のマトリックススイッチャー１０を制御し、ユーザに監視機能を行うようにする制御プログラムがインストールされている。
【００１６】
主管理オフィス及び各遠隔地のユーザは、この制御プログラムが設けられたＰＣのモニタ上において、ＧＵＩ画面を通じてカメラで撮影した映像を見ながら画面上のメニューボタンの操作により、各ＣＣＴＶカメラを選択してモニタし、多様なカメラ制御機能を行うことができる。最近、ＧＵＩ方式のプラグラムが一般化されたので、簡単にモニタに表示された画面においてマウスなどによって容易に監視及びカメラ制御機能を行うことが可能である。
【００１７】
コンピュータ映像マトリックススイッチャーの構成
図３は、本発明のマトリックススイッチャー１０の内部構成図を示す。図３に示すように、カメラ映像信号（ＣＡ−１乃至ＣＡ−ｎ）は、マトリックススイッチャー１０に入力されて処理され、処理された映像信号は、主管理オフィス及び遠隔地のＰＣ２６（以下、コンピュータ）にある映像入力端子に伝達される。マトリックススイッチャー１０は、コンピュータ２６にインストールされている制御プログラム２８によってタスクを実行する。コンピュータ２６の制御プログラム２８によって、カメラの駆動及び制御のためのデータ（カメラ制御データ）が生成される。
【００１８】
本発明のマトリックススイッチャー１０は、以下の構成要素、即ち、中央演算処理装置（ＣＰＵ）２２、制御プログラム２８がインストールされたコンピュータ２６とデータの交換を行って、コンピュータ２６からＣＰＵ２２の動作命令及びカメラの制御データを受信し、その遂行結果をコンピュータ２６へ転送する通信制御部２４と、ＣＰＵ２２の命令によってマトリックススイッチャー内部の信号回路を制御する内部信号回路制御部２０と、多数のカメラから同軸ケーブルなどに転送されたカメラ映像信号を受け入れる映像信号入力部１２と、入力されたカメラ映像信号を内部信号回路制御部２０の制御によって選択する映像入力信号スイッチング部１４と、スイッチングされた映像入力信号を増幅する増幅部１６と、映像入力信号をコンピュータ２６のモニタに表示するため、ＮＴＳＣコンポジット信号に変換し、このコンポジット映像信号をコンピュータ２６の映像入力端に出力するコンポジット信号出力部１８とを備える。
【００１９】
ここで、コンポジット信号出力部１８の映像出力は、同軸ケーブルによってコンピュータ２６の映像入力端に入力される。尚、通信制御部２４及びコンピュータ２６は、通常のシリアル通信方式（ＲＳ２３２、ＲＳ４８５等）により通信する。
【００２０】
カメラ制御データは、カメラのパン、ズーム、カメラの転換などのような機能のためのデータであり、ユーザにより制御プログラム２８を通じて設定及び選択されることができる。また、内部信号回路制御部２０は、ＣＰＵ２２に機能的に統合され得る。
【００２１】
制御プログラムの構成
図４Ａは、コンピュータ２６に設けられた制御プログラム２８の機能的構成図を示す。制御プログラム２８は、マトリックススイッチャー１０のＣＰＵ２２を制御するための命令とカメラ制御データとを発生する制御データ発生部１２６と、ユーザにカメラの焦点を調節するようにするカメラ焦点調節部１０２と、カメラ焦点調節部１０２によって制御データ発生部１２６を制御してカメラ焦点制御用データを生成するようにするカメラ焦点制御部１００と、ユーザにカメラズームを選択するようにするカメラズーム選択部１０６と、カメラズーム選択部１０６によって制御データ発生部１２６を制御してカメラズーム制御用データを生成するようにするカメラズーム制御部１０４と、ユーザにカメラのパンを選択し、パン速度を調節するようにするカメラパン選択部１１０と、カメラパン選択部１１０によって制御データ発生部１２６を制御してカメラのパン制御及びパン速度調節用のデータを生成するようにするカメラパン制御部１０８と、ユーザにカメラの自動パンを設定するようにするカメラ自動パン選択部１１４と、カメラ自動パン選択部１１４によって制御データ発生部１２６を制御してカメラ自動パン用データを生成するようにするカメラ自動パン制御部１１２と、ユーザに各カメラの自動切換を設定するようにするカメラ自動切換設定部１１８と、カメラ自動切換設定部１１８によって制御データ発生部１２６を制御してカメラ自動切換用データを生成するようにするカメラ自動切換制御部１１６と、カメラ焦点調節部１０２、カメラズーム選択部１０６、カメラパン選択部１１０、カメラ自動パン選択部１１４、及びカメラ自動切換設定部１１８によって調節、選択、及び設定されたデータを記憶する調節／選択／設定データ記憶部１２０と、現場に設けられた全てのカメラの位置を記憶しているカメラ位置記憶部１２２と、マトリックススイッチャー１０から転送された映像信号を所定のユーザインターフェースに表示する映像表示部１２８とを含む。
【００２２】
上記の構成において、カメラ自動切換制御部１１６は、カメラ位置記憶部１１２に記憶されているカメラ位置データを参照してデータの処理をする。
【００２３】
一方、図５は、上記のように構成される制御プログラムのユーザインターフェース（ＵＩ）画面の例示図であって、現在、駐車場を監視している映像が映像表示ウィンドウ２００に表示されている。本例においては、映像表示ウィンドウ２００は、６４０×４８０画素の大画面の動映像ディスプレイを使用している。
【００２４】
画面の右側には、カメラの焦点を調節するラジオボタンが設けられる。即ち、このボタンがカメラ焦点調節部１０２を表す。カメラ焦点調節部１０２のボタンを調節すると、カメラ焦点制御部１００によってカメラ焦点制御データが制御データ発生部１２６から生成され、マトリックススイッチャー１０を通じてカメラに伝達される（図３のカメラ制御データの経路を参照）。
【００２５】
図５に戻り、画面の右側において、カメラズーム選択部１０６が（＋）と（−）の二つのボタンから具現されている。ユーザがマウスなどのポインティングデバイスによってカメラズーム選択部１０６のボタンを調節すると、カメラズーム制御部１０４は、これに相応する制御データを制御データ発生部１２６に生成させるようにしてカメラズームを制御する。
【００２６】
カメラパン選択部１１０は、カメラのパン方向を示す矢印ボタン［←］、［→］、［↑］、［↓］１１０ａとパン速度レベルボタン［１］、［２］、［３］、［４］、［５］１１０ｂから具現される。ユーザが設定したパン速度レベルデータは、調節／選択／設定データ記憶部１２０に記憶される。［１］段階が一番遅いパン速度であり、［５］段階が一番速いパン速度である。現在設定された速度に該当されるボタンが、緑色に点灯されるように設計することができる。
【００２７】
カメラ自動パン選択部１１４は、「自動パン」と表記されており、上記矢印ボタンの中、１１４ａはパン開始点の設定ボタン、１１４ｂはパン返還点の設定ボタン、１１４ｃは自動パンの開始ボタン、１１４ｄは自動パンの停止ボタンを示す。ユーザが１１４ａ及び１１４ｂボタンを用いてパン開始点とパン返還点を設定すると、これらの設定データは、調節／選択／設定データ記憶部１２０に記憶され、１１４ｃ及び１１４ｄのボタンの操作によってそれぞれパンが始まったり止まったりする。記憶された設定値は、記憶部に保存されてコンピュータの再起動または停電復帰後の現状態の実現に利用することができる。
【００２８】
カメラ自動切換設定部１１８は、それぞれ他の現場に設けられたカメラを自動で一定の時間間隔に従って切換する機能を選択する役割をすることで、設定ボタン１１８ａと開始ボタン１１８ｂから具現される。設定ボタン１１８ａは、自動切換するカメラを登録するか、もしくは切換時間などを設定するようにプログラミングされることができる。カメラ自動切換設定部１１８は、カメラ位置記憶部１２２からカメラの位置データを参照して使用する。また、カメラ自動切換制御部１１６が動作するためには、カメラ位置記憶部１２２からカメラの位置データを参照する。
【００２９】
一方、図５において、映像表示ウィンドウ２００の下部には、現在のカメラの名前と位置、及び動作状態を示すウィンドウ２０２が設置されている。図５は、現在「１」のカメラが２階でパンしている状態を示す。
【００３０】
上記の構成を有する制御プログラムは、ＣＤ−ＲＯＭや磁気記録媒体などの記録媒体に収録されることが可能である。ユーザは、図３に示すように構成されるコンピュータ映像マトリックススイッチャーと制御プログラムＣＤを購入して、図２に示すようなシステムを構築し、ＰＣに制御プログラムをインストールして本発明を実施することができる。図４Ａは、制御プログラムの必須的構成を示す。これ以外にも、設置、設定、他のＵＩに関する構成要素は、制御プログラムの設計に合わせて当業者が容易に選択することができる。
【００３１】
追加可能な構成
図４Ａの構成は、図４Ｂのように拡張されることができる。図４Ｂには、カメラ登録処理部１２３と設置現場平面図記憶部１２４とが新たな構成要素として追加されている。カメラ登録処理部１２３は、設置現場平面図記憶部１２４に記憶される設置現場平面図上にカメラの位置を登録処理する構成要素である。カメラ登録処理部１２３に登録されたカメラの位置は、上記カメラ位置記憶部１２２に記憶される。また、設置現場平面図記憶部１２４には、監視対象建物などの現場平面図に設けられたカメラの位置が表示されるように設置現場のカメラ地図が記憶される。
【００３２】
これらの二つの構成要素（カメラ登録処理部１２３と設置現場平面図記憶部１２４）を追加することにより、図５の映像表示ウィンドウ２００にカメラ地図を表示した上所望のカメラ位置をクリックして、該当カメラの映像信号を選択することができる。このため、マトリックススイッチャー１０のＣＰＵ２２は、映像入力信号スイッチング部１４を制御する。これにより、ユーザは、簡単に映像が表示されるＵＩ画面上にカメラ地図を表示し、所望のカメラ位置をクリックすることにより、手軽に該当カメラが映している映像を映像表示ウィンドウ２００を通じて監視できる。
【図面の簡単な説明】
【００３３】
【図１】従来のＣＣＴＶシステムを示す構成図である。
【図２】本発明によるＣＣＴＶシステムを示す構成図である。
【図３】本発明に使用されるコンピュータ映像マトリックススイッチャーを示す構成図である。
【図４Ａ】本発明に使用される制御プログラムの機能を示す構成図である。
【図４Ｂ】本発明に使用される制御プログラムの機能を拡張して示す構成図である。
【図５】制御プログラムのユーザインターフェース画面を示す図面である。
【符号の説明】
【００３４】
ＣＡ・・・ＣＣＴＶカメラ、１０・・・マトリックススイッチャー
５０・・・主管理オフィスＰＣ、６０、７０・・・各遠隔地ＰＣ
１２・・・映像信号入力部、１４・・・  映像入力信号スイッチング部
１６・・・増幅部、１８・・・コンポジット信号出力部
２０・・・内部信号回路制御部、２２・・・ＣＰＵ
２４・・・通信制御部、２６・・・監視用コンピュータ
２８・・・制御プログラム、１００・・・カメラ焦点制御部
１０２・・・カメラ焦点調節部、１０４・・・カメラズーム制御部
１０６・・・カメラズーム選択部、１０８・・・カメラパン制御部
１１０・・・カメラパン選択部、１１０ａ・・・  矢印ボタン
１１０ｂ・・・パン速度レベルボタン、１１２・・・カメラ自動パン制御部
１１４・・・カメラ自動パン選択部、１１６・・・カメラ自動切換制御部
１１８・・・カメラ自動切換設定部、１１８ａ・・・カメラ自動切換設定ボタン
１１８ａ・・・カメラ自動切換設定ボタン、１１８ｂ・・・カメラ自動切換開始ボタン
１２０・・・調節／選択／設定データ記憶部、１２２・・・カメラ位置記憶部
１２３・・・カメラ登録処理部、１２４・・・設置現場平面図記憶部
１２６・・・制御データ発生部、１２８・・・映像表示部
２００・・・映像表示ウィンドウ、２０２・・・カメラ名前／位置／動作状態表示窓
【図１】
2004520738.tif 000003
【図２】
2004520738.tif 000004
【図３】
2004520738.tif 000005
【図４Ａ】
2004520738.tif 000006
【図４Ｂ】
2004520738.tif 000007
【図５】
2004520738.tif 000008
【国際公開パンフレット】
2004520738.tif 000009
2004520738.tif 000010
2004520738.tif 000011
2004520738.tif 000012
2004520738.tif 000013
2004520738.tif 000014
2004520738.tif 000015
2004520738.tif 000016
2004520738.tif 000017
2004520738.tif 000018
2004520738.tif 000019
2004520738.tif 000020
2004520738.tif 000021
2004520738.tif 000022
2004520738.tif 000023
2004520738.tif 000024
2004520738.tif 000025
2004520738.tif 000026
2004520738.tif 000027
2004520738.tif 000028
2004520738.tif 000029
2004520738.tif 000030
2004520738.tif 000031
2004520738.tif 000032
【手続補正書】
【提出日】平成15年9月2日(2003.9.2)
【手続補正１】
【補正対象書類名】特許請求の範囲
【補正対象項目名】全文
【補正方法】変更
【補正の内容】
【特許請求の範囲】
【請求項１】
コンピュータ遠隔監視制御方式のＣＣＴＶシステムであって、
入力されたカメラ映像信号を処理し、処理された映像信号を監視用コンピュータにある映像入力端子に伝達するコンピュータ映像マトリックススイッチャーと、
前記監視用コンピュータに設置されており、前記コンピュータ映像マトリックススイッチャーが機能を行うように、カメラの駆動及び制御のためのデータを生成する制御プログラムとを備え、
前記コンピュータ映像マトリックススイッチャ−は、
ａ）ＣＰＵと、
ｂ）制御プログラムが設置されたコンピュータとデータの交換を行うことにより、ＣＰＵの動作命令及びカメラ制御データをコンピュータから受信し、その遂行結果をコンピュータに伝送する通信制御部と、
ｃ）多数のカメラから同軸ケーブルなどを通じて伝送されたカメラ映像信号を受け入れる映像信号入力部と、
ｄ）入力されたカメラ映像信号をＣＰＵの制御によって選択する映像入力信号スイッチング部と、
ｅ）映像入力信号をコンピュータのモニタに表示するためのコンポジット信号に変換し、このコンポジット信号をコンピュータの映像入力端に出力するコンポジット信号出力部とを備えることを特徴とするＣＣＴＶシステム。
【請求項２】
前記制御プログラムは、
前記コンピュータ映像マトリックススイッチャーのＣＰＵを制御するための命令とカメラ制御データを発生する制御データ発生部と、
ユーザにカメラの焦点を調節するようにするカメラ焦点調節部と、
カメラ焦点調節部によって制御データ発生部を制御してカメラ焦点制御用データを生成するようにするカメラ焦点制御部と、
カメラズームイン（＋）ボタンとズームアウト（−）ボタンから構成されて、ユーザにカメラズームを選択するようにするカメラズーム選択部と、
カメラズーム選択部により制御データ発生部を制御してカメラズーム制御用データを生成するようにするカメラズーム制御部と、
カメラのパン方向を示すボタンとパン速度を調節するボタンから構成されて、ユーザにカメラパンを選択し、パン速度を調節するようにするカメラパン選択部と、
カメラパン選択部によって制御データ発生部を制御してカメラパン制御及びパン速度調節用データを生成するようにするカメラパン制御部と、
パン開始点設定ボタン、パン返還点設定ボタン、自動パン開始ボタン、自動パン停止ボタンから構成されて、ユーザにカメラの自動パンを設定するようにするカメラ自動パン選択部と、
カメラ自動パン選択部によって制御データ発生部を制御してカメラ自動パン用データを生成するようにするカメラ自動パン制御部と、
自動切換するカメラを登録するか、切換時間などを設定する設定ボタンと自動切換を指示する開始ボタンとから構成されて、ユーザに各カメラの自動切換を設定するようにするカメラ自動切換設定部と、
カメラ自動切換設定部によって制御データ発生部を制御してカメラ自動切換用データを生成するようにするカメラ自動切換制御部と、
前記カメラ焦点調節部、カメラズーム選択部、カメラパン選択部、カメラ自動パン選択部、カメラ自動切換設定部において調節、選択、設定されたデータを記憶する調節／選択／設定データ記憶部と、
現場に設けられた全てのカメラの位置を記憶しているカメラ位置記憶部と、
前記コンピュータ映像マトリックススイッチャーから伝送された映像信号を所定のユーザインターフェースに表示する映像表示部と備えることを特徴とする請求項１に記載のＣＣＴＶシステム。
【請求項３】
ＣＣＴＶシステムにおいて、カメラ映像信号を処理し、処理された映像信号を監視用コンピュータにある映像入力端子に伝達し、監視用コンピュータに設けられている制御プログラムによってカメラの駆動及び制御の機能を行うコンピュータ映像マトリックススイッチャーであって、
ＣＰＵと、
制御プログラムが設けられているコンピュータとデータの交換を行うことにより、ＣＰＵの動作命令及びカメラ制御データをコンピュータから受信し、その遂行結果をコンピュータへ伝送する通信制御部と、
多数のカメラから同軸ケーブルなどを通じて伝送されたカメラ映像信号を受け入れる映像信号入力部と、
入力されたカメラ映像信号をＣＰＵの制御によって選択する映像入力信号スイッチング部と、
映像入力信号をコンピュータのモニタに表示するためのコンポジット信号に変換し、このコンポジット信号をコンピュータの映像入力端に出力するコンポジット信号出力部とを備えることを特徴とするコンピュータ映像マトリックススイッチャー。
【請求項４】
請求項３のように構成されるコンピュータ映像マトリックススイッチャーに、カメラを制御し、ユーザにカメラ映像を表示するようにする、監視用コンピュータに設けられる制御プログラムであって、
前記コンピュータ映像マトリックススイッチャーのＣＰＵを制御するための命令とカメラ制御データを発生する制御データ発生部と、
ユーザにカメラの焦点を調節するようにするカメラ焦点調節部と、
カメラ焦点調節部によって制御データ発生部を制御してカメラ焦点制御用データを生成するようにするカメラ焦点制御部と、
ユーザにカメラズームを選択するようにするカメラズーム選択部と、
カメラズーム選択部により制御データ発生部を制御してカメラズーム制御用データを生成するようにするカメラズーム制御部と、
ユーザにカメラパンを選択し、パン速度を調節するようにするカメラパン選択部と、
カメラパン選択部によって制御データ発生部を制御してカメラパン制御及びパン速度調節用データを生成するようにするカメラパン制御部と、
ユーザにカメラの自動パンを設定するようにするカメラ自動パン選択部と、
カメラ自動パン選択部によって制御データ発生部を制御してカメラ自動パン用データを生成するようにするカメラ自動パン制御部と、
ユーザに各カメラの自動切換を設定するようにするカメラ自動切換設定部と、
カメラ自動切換設定部によって制御データ発生部を制御してカメラ自動切換用データを生成するようにするカメラ自動切換制御部と、
前記カメラ焦点調節部、カメラズーム選択部、カメラパン選択部、カメラ自動パン選択部、カメラ自動切換設定部において調節、選択、設定されたデータを記憶する調節／選択／設定データ記憶部と、
現場に設けられた全てのカメラの位置を記憶しているカメラ位置記憶部と、
前記コンピュータ映像マトリックススイッチャーから伝送された映像信号を所定のユーザインターフェースに表示する映像表示部と備えることを特徴とするコンピュータ遠隔監視制御方式のＣＣＴＶシステム用制御プログラム。
【請求項５】
請求項４のように構成される制御プログラムを記録するコンピュータ記録媒体。
【国際調査報告】
2004520738.tif 000033